(57)【要約】【課題】  扉体が本体に対して閉じている状態で錠部を取り外した場合にかかるコストを低減できる遊技機を提供すること。【解決手段】  錠カバー５４は、カバー露出部６０をニッパーなどの工具で破壊すると、シリンダー錠２８を本体３０に固定している錠ネジ６４にドライバーなどの工具が遊技機の外部からアクセスできる作業口７２が形成される。【選択図】  図７
2013233370.tif 000002
【特許請求の範囲】
【請求項１】
本体に対して開閉可能に設けられた扉体を備える遊技機であって、
前記本体は、
前記扉体を前記本体に対して施錠する錠部と、
前記錠部を覆うカバー部を備え、
前記カバー部は、
前記扉体が前記本体に対して閉じている状態で外部に露出するカバー露出部を備え、
前記カバー露出部は、
前記錠部の鍵穴を外部に露出させる開口部を備え、
前記カバー露出部が破壊されると、前記錠部を前記本体から取り外す作業を外部から行うことができる作業口が形成されることを特徴とする遊技機。
【請求項２】
請求項１において、
前記カバー部は、
前記カバー露出部を破壊する作業を外部から行うための余剰空間を内部に形成することを特徴とする遊技機。
【請求項３】
請求項２において、
前記カバー部は、
前記錠部の揺動を抑制する抑制部を前記カバー露出部の内側面に備えることを特徴とする遊技機。
【発明の詳細な説明】
【技術分野】
【０００１】
本発明は、遊技機に関する。
【背景技術】
【０００２】
従来から、遊技球（遊技媒体）が移動する遊技領域を備え、遊技者の操作に応じて遊技領域に遊技球を発射する遊技機（ぱちんこ遊技機）が知られている。この種の遊技機では、遊技領域に設けられている始動入賞口に遊技球が入賞すると、抽選が行われるとともに、表示手段において図柄の変動表示が開始され、抽選結果に応じた態様で図柄が停止表示される。そして、図柄が特定の態様で停止表示された場合に大当たり状態となり、遊技領域に設けられている大入賞口が開いた状態に制御され、大入賞口への遊技球の入賞数に応じた遊技球が払い出される。
【０００３】
そしてこの種の遊技機では、本体に対して扉体が開閉可能に設けられているとともに、シリンダー錠などの錠部と連結する施錠部により本体に対して扉体を施錠できるようになっている（特許文献１参照）。
【先行技術文献】
【特許文献】
【０００４】
【特許文献１】特開２０００−１５７６９９号公報
【発明の概要】
【発明が解決しようとする課題】
【０００５】
ここでこの種の遊技機では、扉体が本体に対して閉じている状態で錠部の不具合や鍵の紛失などが発生すると、扉体を本体に対して開くことができなくなってしまう。この場合には、本体にネジ止めされている錠部をドライバーなどの工具を用いて本体から取り外せば、扉体を本体に対して開くことができるようになるが、錠部を本体に固定しているネジにアクセスするためには、錠部の周囲を覆う部分を破壊しなければならない。すると、錠部を本体に固定しているネジを扉体が覆っている場合には、扉体の一部を破壊することになるため、錠部を修理・交換するとともに、扉体も全体的に新しい物に交換しなければならない。
【０００６】
本発明は、上記事情に鑑みてなされたものであり、その目的は、扉体が本体に対して閉じている状態で錠部を取り外した場合にかかるコストを低減できる遊技機を提供することにある。
【課題を解決するための手段】
【０００７】
（１）本発明は、本体に対して開閉可能に設けられた扉体を備える遊技機であって、前記本体は、前記扉体を前記本体に対して施錠する錠部と、前記錠部を覆うカバー部を備え、前記カバー部は、前記扉体が前記本体に対して閉じている状態で外部に露出するカバー露出部を備え、前記カバー露出部は、前記錠部の鍵穴を外部に露出させる開口部を備え、前記カバー露出部が破壊されると、前記錠部を前記本体から取り外す作業を外部から行うことができる作業口が形成されることを特徴とする遊技機に関するものである。
【０００８】
本発明では、扉体が本体に対して施錠された状態で施錠が解除されなくなる事態が発生した場合には、カバー露出部を破壊して作業口を形成すれば錠部を本体から取り外して施錠を解除することができるので、かかる事態が発生した場合に破壊する部分をカバー部に限定することができ、部品交換に必要なコストを低減することができる。
【０００９】
（２）本発明の遊技機では、前記カバー部は、前記カバー露出部を破壊する作業を外部から行うための余剰空間を内部に形成するようにしてもよい。
【００１０】
このようにすれば、カバー露出部を破壊する作業を外部から行う際に、遊技機の内部の部品が障害にならないようにすることができる。
【００１１】
（３）本発明の遊技機では、前記カバー部は、前記錠部の揺動を抑制する抑制部を前記カバー露出部の内側面に備えるようにしてもよい。
【００１２】
このようにすれば、カバー露出部を破壊する作業を外部から行うための余剰空間を確保しつつ、平常時は錠部が操作される際の錠部の揺動を抑制することができる。
【図面の簡単な説明】
【００１３】
【図１】本発明の実施形態の遊技機の外観を示す斜視図である。
【図２】本発明の実施形態の遊技機の構造を示す斜視図である。
【図３】本発明の実施形態の遊技機の前枠フックと外枠フックを示す側面図である。
【図４】本発明の実施形態の遊技機の錠カバーの正面図である。
【図５】本発明の実施形態の遊技機の本体から錠カバーを取り外した状態を示す斜視図である。
【図６】本発明の実施形態の遊技機の錠カバーを背面側から見た斜視図である。
【図７】本発明の実施形態の遊技機のカバー露出部６０が破壊された状態を示す斜視図である。
【図８】本発明の実施形態の遊技機の規制装置の正面図である。
【図９】本発明の実施形態の遊技機の規制装置の動作を示す正面図である。
【図１０】本発明の実施形態の遊技機の規制装置の動作を示す正面図である。
【発明を実施するための形態】
【００１４】
以下では、本発明の実施形態について説明する。なお、以下に説明する本実施形態は、特許請求の範囲に記載された本発明の内容を不当に限定するものではない。また本実施形態で説明される構成の全てが、本発明の必須の構成要件であるとは限らない。
【００１５】
図１は、本実施形態に係る遊技機の外観構成を示す斜視図である。本実施形態の遊技機は、遊技場から貸し出された遊技球を用いて遊技を行うものであり、遊技機の外側面を形成する外枠２と、遊技機の内部に設けられ、遊技球が移動する遊技領域４を形成する遊技盤６と、遊技盤６を遊技者が視認可能かつ接触不可能にするガラスユニット８（透明板ユニット）と、ガラスユニット８が取り付けられている前枠１０（扉体）を備えている。
【００１６】
そして前枠１０の前面のうちガラスユニット８を取り囲む部分は、光を透過する半透明の素材により構成されており、半透明の素材により構成されている部分の内部には、遊技を盛り上げるための演出光などを出力する複数の枠ランプ１２が設けられている。また、前枠１０の上部の左右および下部の左右には、遊技を盛り上げるための演出音などを出力するスピーカー１４が設けられている。
【００１７】
また前枠１０の下部中央には、遊技球を貯留するための上皿１６が設けられており、上皿１６の内側側面の左部には、遊技機から遊技者に遊技球を払い出すための払出口１８が設けられている。また前枠１０の下部右側には、グリップユニット２０が設けられており、遊技者がグリップユニット２０を遊技機に向かって右回りに回転させる操作を行うと、遊技機内部に設けられた図示しない発射装置が作動して、遊技領域４内に遊技球が発射されるようになっている。そして上皿１６の内側側面の右部には、上皿１６から遊技球を発射装置に供給するための供給口２２が設けられている。また上皿１６の下方には、上皿１６に遊技球を貯留しきれなくなった場合に余剰の遊技球を貯留しておく下皿２４が設けられている。
【００１８】
ここで前枠１０は、前枠１０の左辺および外枠２の左辺に沿った前枠軸２６を中心として外枠２に対して回転可能に取り付けられている。そして上皿１６の右方に設けられたシリンダー錠２８（錠部）に鍵を差し込んで一方向に回転させると、施錠が解除されて前枠１０を外枠２に対して開くことができるようになっている。
【００１９】
図２は、前枠１０が外枠２に対して開いている状態を示す斜視図である。図２に示すように、本実施形態の遊技機は、遊技盤６などが設けられた本体３０を備えており、本体３０も前枠１０と同様に回転軸２６を中心として外枠２に対して回転可能に取り付けられている。
【００２０】
そして本体３０の右端（自由端）前面の上部と中央部と下部には、鉤状の前枠フック３２が前方に突出するように設けられており、前枠１０の右端（自由端）背面の上部と中央部と下部に設けられた前枠引掛部３４に前枠フック３２が引っ掛かることにより、前枠１０が本体３０に対して閉じた状態で施錠される。
【００２１】
また本体３０の右端背面の上部と下部には、鉤状の外枠フック３６が後方に突出するように設けられており、外枠２の右端前面の上部と下部に設けられた外枠引掛部３８に外枠フック３６が引っ掛かることにより、本体３０が外枠２に対して閉じた状態で施錠される。
【００２２】
図３は、前枠フック３２と外枠フック３６の詳細を示す側面図である。図３に示すように、３つの前枠フック３２は、上下に長い板状の前枠ロック部４０（施錠部）の一部を構成している。この前枠ロック部４０は、本体３０の右端部に設けられている上下に長いロックガイド部４２に沿って上下にスライド可能にロックガイド部４２に取り付けられている。
【００２３】
また２つの外枠フック３６は、上下に長い板状の外枠ロック部４４（施錠部）の一部を構成している。この外枠ロック部４４も、前枠ロック部４０と同様にロックガイド部４２に沿って上下にスライド可能にロックガイド部４２に取り付けられている。
【００２４】
また前枠ロック部４０と外枠ロック部４４は、ロックバネ４６により連結されており、前枠ロック部４０は、前枠フック３２が前枠引掛部３４に引っ掛かる施錠位置から上方にスライドすると、ロックバネ４６により施錠位置に戻るように引っ張られ、外枠ロック部４４は、外枠フック３６が外枠引掛部３８に引っ掛かる施錠位置から下方にスライドすると、施錠位置に戻るように引っ張られるようになっている。
【００２５】
そしてロックガイド部４２の下部には、シリンダー錠２８が設けられており、シリンダー錠２８の後端には、シリンダー錠２８に差し込まれた鍵が回転されることに伴って回転する回転部４８が設けられている。そしてシリンダー錠２８に差し込まれた鍵が左回りに回転されると、回転部４８が前枠ロック部４０の下部に設けられている前枠解錠孔５０に引っ掛かって前枠ロック部４０を施錠位置から上方にスライドさせる。すると、前枠フック３２が前枠引掛部３４から外れて、前枠１０を本体３０に対して開くことができる。
【００２６】
一方、シリンダー錠２８に差し込まれた鍵が右回りに回転されると、回転部４８が外枠ロック部４４の下部に設けられている外枠解錠孔５２に引っ掛かって外枠ロック部４４を施錠位置から下方にスライドさせる。すると、外枠フック３６が外枠引掛部３８から外れて、本体３０を外枠２に対して開くことができる。
【００２７】
こうして本実施形態の遊技機では、前枠１０が本体３０に対して開閉可能となっているとともに、本体３０が外枠２に対して開閉可能となっている。
【００２８】
ここで図１に示すように、前枠１０が本体３０に対して閉じている状態でシリンダー錠２８の不具合や鍵の紛失などが発生すると、前枠１０を本体３０に対して開くことができなくなってしまう。この場合には、本体３０にネジ止めされているシリンダー錠２８を、ドライバーなどの工具を用いて本体３０から取り外せば、シリンダー錠２８と前枠ロック部４０の連結が解除され、ドライバーなどの工具を用いて前枠ロック部４０を強制的に上方にスライドさせて前枠フック３２を前枠引掛部３４から外すことにより、前枠１０を本体３０に対して開くことができるようになる。
【００２９】
しかし、シリンダー錠２８の不具合や鍵の紛失などが発生した場合には、前枠１０を本体３０に対して開くことができない以上、シリンダー錠２８を本体３０に固定しているネジにアクセスするためには、シリンダー錠２８の周囲を覆う部分を破壊しなければならない。すると、シリンダー錠２８の周囲を前枠１０が覆っている場合には、前枠１０の一部を破壊することになるため、シリンダー錠２８を修理・交換するとともに、前枠１０も全体的に新しい物に交換しなければならない。
【００３０】
そこで本実施形態の遊技機では、図２に示すように、シリンダー錠２８の鍵穴を露出させつつシリンダー錠２８の周囲を覆うプラスチック製の錠カバー５４（カバー部）を本体３０に取り付けている。そして前枠１０には、前枠１０の自由端（右端）の一部が錠カバー５４の形状に合わせて切り欠かれた切欠部５６が形成されている。
【００３１】
これにより、図１に示すように前枠１０を本体３０に対して閉じた状態では、切欠部５６と錠カバー５４とが嵌り合い、前枠１０を本体３０に対して閉じた状態であっても、シリンダー錠２８の鍵穴とともに錠カバー５４の一部が露出するようになっている。そして、前枠１０を本体３０に対して開くことができなくなってしまった場合には、錠カバー５４のうち露出している部分をニッパーなどの工具で破壊することにより、シリンダー錠２８を本体３０に固定しているネジにドライバーなどの工具がアクセスできるようにしている。
【００３２】
図４は、本体３０に取り付けられた錠カバー５４の正面図である。図４に示すように、錠カバー５４は、シリンダー錠２８の鍵穴を露出させるための開口である鍵穴開口部５８（開口部）と、鍵穴開口部５８の外縁を形成し、前枠１０を本体３０に対して閉じた状態でも露出するカバー露出部６０と、カバー露出部６０の外縁を形成し、前枠１０を本体３０に対して閉じた状態では前枠１０に覆われて露出しない被覆部６２を備えている。そしてカバー露出部６０は、被覆部６２よりも前方に突出するように形成されており、図１に示すように前枠１０を本体３０に対して閉じた状態において、前枠１０の前面よりも前方に突出しないがシリンダー錠２８に鍵を差し込みやすいようになっている。
【００３３】
図５は、本体３０から錠カバー５４を取り外した状態を示す斜視図である。図５に示すように、本体３０から錠カバー５４を取り外すと、シリンダー錠２８を本体３０に対して固定している錠ネジ６４が露出する。そしてシリンダー錠２８の周囲には、部品等が設けられておらず、前方からドライバーなどの工具が錠ネジ６４にアクセスできるように作業空間６６が設けられている。
【００３４】
図６は、錠カバー５４を背面側から見た斜視図である。本実施形態の錠カバー５４は、図６に示すように、肉厚が１．５ｍｍほどで内部が空洞となるように成形されている。そしてカバー露出部６０の内側面には、鍵穴開口部５８を取り囲むように円筒状の円筒部材６８（抑制部）が設けられており、円筒部材６８の内側にシリンダー錠２８の円筒部分が収まるようになっている。
【００３５】
ここで図５に示したように、シリンダー錠２８は、奥側の端部の上下２カ所で錠ネジ６４により本体３０に固定されているため、シリンダー錠２８に鍵を差し込んで回転させるごとにシリンダー錠２８の手前側が揺り動かされてしまうと、シリンダー錠２８の奥側の固定部分に多大な負荷がかかってしまう。
【００３６】
そこで本実施形態では、図６に示すようにカバー露出部６０の内側面に円筒部材６８を設け、錠カバー５４が本体３０に取り付けられると、シリンダー錠２８の円筒部分の手前側の端部が円筒部材６８の内側に収まることによりシリンダー錠２８の手前側の揺動を抑制するようにして、シリンダー錠２８の奥側の固定部分に多大な負荷がかからないようにしている。
【００３７】
そして図６に示すように、錠カバー５４の内部は、円筒部材６８とカバー露出部６０の内側面との間に、カバー露出部６０をニッパーなどの工具で破壊する際に、円筒部材６８やシリンダー錠２８が障害にならずにニッパーなどの工具の先端が侵入できる余剰空間７０が設けられている。すなわち錠カバー５４は、図１に示すように前枠１０を本体３０に対して閉じた状態においてカバー露出部６０をニッパーなどの工具で破壊しやすいように、鍵穴開口部５８に対してカバー露出部６０の面積を十分に大きくし、錠カバー５４の内部の余剰空間７０が大きくなるように形成されている。
【００３８】
また錠カバー５４あるいは前枠１０は、図１に示すように前枠１０を本体３０に対して閉じた状態において、カバー露出部６０と切欠部５６との間に隙間が形成されるように形成されている。これにより錠カバー５４は、前方に突出するカバー露出部６０を有していても、前枠１０を本体３０に対して閉じるときにカバー露出部６０が前枠１０に干渉することがないようにするとともに、カバー露出部６０をニッパーなどの工具で破壊する際に、前枠１０に傷をつけないようにすることができる。
【００３９】
図７（Ａ）は、前枠１０を本体３０に対して閉じた状態でカバー露出部６０が破壊された状態を斜め上方から見た斜視図であり、図７（Ｂ）は、斜め下方から見た斜視図である。図７（Ａ）および（Ｂ）に示すように、ニッパーなどの工具によりカバー露出部６０が切り取られると（破壊されると）、シリンダー錠２８を本体３０に固定している２つの錠ネジ６４（固定部）を遊技機の外部から視認できるようになる。
【００４０】
詳細には本実施形態では、本体３０に取り付けられている錠カバー５４がシリンダー錠２８の周囲を覆う範囲のうち、カバー露出部６０が覆う範囲が、シリンダー錠２８を本体３０に固定している２つの錠ネジ６４の位置まで達している。従って本実施形態の錠カバー５４は、カバー露出部６０をニッパーなどの工具で破壊すると、シリンダー錠２８を本体３０に固定している錠ネジ６４にドライバーなどの工具が遊技機の外部からアクセスできるとともに、本体３０から取り外したシリンダー錠２８を外部に摘出できるようにする作業口７２が形成されるようになっている。
【００４１】
すなわち錠カバー５４は、鍵穴開口部５８に対してカバー露出部６０の面積を十分に大きくすることにより、カバー露出部６０をニッパーなどの工具で破壊したときにシリンダー錠２８を本体３０から取り外しやすいように作業口７２を大きく形成できるようになっている。
【００４２】
そして錠カバー５４の内部は空洞となっているとともに、シリンダー錠２８の周囲には作業空間６６が設けられているため、作業口７２からドライバーなどの工具を遊技機の内部に差し込んで、シリンダー錠２８を本体３０に固定している２つの錠ネジ６４を外して、シリンダー錠２８を本体３０から取り外すことができる。
【００４３】
そして、シリンダー錠２８を本体３０から取り外せば、シリンダー錠２８と前枠ロック部４０および外枠ロック部４４の連結が解除され、ドライバーなどの工具を用いて前枠ロック部４０を強制的に上方にスライドさせて前枠フック３２を前枠引掛部３４から外すことにより、前枠１０を本体３０に対して開くことができるようになるとともに、外枠ロック部４４を強制的に下方にスライドさせて外枠フック３６を外枠引掛部３８から外すことにより、外枠２を本体３０に対して開くことができるようになる。
【００４４】
こうして本実施形態の錠カバー５４では、錠カバー５４の内部の余剰空間７０を大きくするとともに、作業口７２を大きく形成できるように、鍵穴開口部５８に対してカバー露出部６０の面積を十分に大きくしているため、シリンダー錠２８の不具合や鍵の紛失などが発生した場合に破壊する部分を錠カバー５４に限定することができる。従って本実施形態の遊技機では、シリンダー錠２８を修理・交換した後には、錠カバー５４を新しい物に交換すればよく、前枠１０を交換する必要がないようにすることができるため、部品交換に必要なコストを低減することができる。
【００４５】
また本実施形態の遊技機は、遊技機の電源がＯＮ状態である場合には、前枠１０あるいは本体３０が開いていることを検出して報知するセキュリティ機能が作動するが、遊技機が店舗に設置されている状態では夜間になると電源がＯＦＦ状態にされるため、遊技機単独では電気的なセキュリティ機能が作動しなくなる。そこで本実施形態の遊技機では、遊技機の電源がＯＦＦ状態である場合には、鍵があってもシリンダー錠２８を解錠できないようにしている。
【００４６】
図８は、遊技機の電源がＯＦＦ状態である場合にシリンダー錠２８を解錠できないようにする規制装置７４の正面図である。図８では、規制装置７４の周囲を覆う規制装置カバー７６のうち前面部が取り外されている状態を示している。図８に示すように、本実施形態の遊技機では、シリンダー錠２８の右側に隣接して前枠ロック部４０がロックガイド部４２に対して上下にスライド可能に設けられているとともに、前枠ロック部４０の右側に隣接して外枠ロック部４４がロックガイド部４２に対して上下にスライド可能に設けられている。そしてシリンダー錠２８の下方に規制装置７４が設けられており、規制装置７４は、スライドピン７８（規制部）と、ソレノイド８０（駆動部）と、スライドピン７８とソレノイド８０の駆動ピン８２とを連結するプラスチック製の連結部８４を備えている。
【００４７】
スライドピン７８は、規制装置カバー７６に設けられているピンガイド部８６に沿って左右にスライド可能に設けられている。そして図３に示すように、前枠ロック部４０の下部には第１貫通孔８８が設けられ、外枠ロック部４４の下部には第２貫通孔９０が設けられ、ロックガイド部４２の下部には第３貫通孔９２が設けられており、図８に示すように、スライドピン７８が移動範囲の右端に位置している状態では、スライドピン７８の右端が、規制装置カバー７６の上部に設けられているカバー貫通孔９４を貫通するとともに、第１貫通孔８８と第２貫通孔９０と第３貫通孔９２を貫通するように形成されている。
【００４８】
またスライドピン７８の左端には、解除バネ９６（付勢部）の右端が取り付けられており、解除バネ９６の左端は、規制装置カバー７６に取り付けられている。そして図８に示すように、スライドピン７８が第１貫通孔８８と第２貫通孔９０とを貫通している状態では、解除バネ９６がスライドピン７８を左方に引っ張るように付勢している。
【００４９】
また連結部８４は、本体３０に対して連結軸９７を中心として回転可能に取り付けられており、連結軸９７よりも上部においてスライドピン７８に連結され、連結軸９７よりも下部においてソレノイド８０の駆動ピン８２に連結されている。
【００５０】
またソレノイド８０は、自己保持型とされ、遊技機の電源がＯＦＦ状態である場合には、ソレノイド８０の内部に設けられている永久磁石の磁力により、駆動ピン８２が引き込まれた収納状態に維持され、遊技機の電源がＯＮ状態である場合には、ソレノイド８０の内部に設けられているコイルに永久磁石の磁力を打ち消す磁力が発生するように通電されることにより、駆動ピン８２が収納状態に引き込まれなくなるように制御される。
【００５１】
従って本実施形態の規制装置７４では、遊技機の電源がＯＦＦ状態である場合には、図９（Ａ）に示すように、駆動ピン８２が収納状態に維持されることにより、連結部８４が右回りに回転するように付勢され、解除バネ９６の付勢力に抗してスライドピン７８が移動範囲の右端にスライドして、スライドピン７８が第１貫通孔８８と第２貫通孔９０を貫通する状態（規制状態）に維持される。
【００５２】
一方、遊技機の電源がＯＮ状態である場合には、図９（Ｂ）に示すように、駆動ピン８２が収納状態に引き込まれなくなることにより、解除バネ９６の付勢力によってスライドピン７８が左方にスライドして、スライドピン７８が第１貫通孔８８と第２貫通孔９０を貫通しなくなる（解放状態）とともに、連結部８４が左回りに回転するように付勢され、駆動ピン８２が突出状態に引き出される。
【００５３】
そして、遊技機の電源がＯＮ状態からＯＦＦ状態となる際には、遊技機の電源がＯＦＦ状態となる前に、ソレノイド８０の内部に設けられているコイルに永久磁石の磁力を補強する磁力が発生するように通電されることにより、図９（Ａ）に示すように、解除バネ９６の付勢力に抗して駆動ピン８２が収納状態に引き込まれる。すると、連結部８４が右回りに回転するように付勢され、解除バネ９６の付勢力に抗してスライドピン７８が右方にスライドして、スライドピン７８が第１貫通孔８８と第２貫通孔９０を貫通する。
【００５４】
そして、その後で遊技機の電源がＯＦＦ状態となることにより、永久磁石の磁力により駆動ピン８２が収納状態に維持され、スライドピン７８が第１貫通孔８８と第２貫通孔９０を貫通する状態に維持される。
【００５５】
詳細には本実施形態の連結部８４は、図９（Ａ）に示すように、連結軸９７よりも上部がスライドピン７８を上下に貫通しており、スライドピン７８のスライド方向に直交して設けられた作用ピン９８が、連結部８４の上部に設けられた連結開口１００を前後に貫通している。そして遊技機の電源がＯＦＦ状態である場合には、図９（Ａ）に示すように、連結部８４が右回りに回転するように付勢されることにより、連結開口１００の外縁を構成する外縁部１０２の左内側面が作用ピン９８を右方向に押すようにして、スライドピン７８を右方にスライドするように付勢する。
【００５６】
一方、遊技機の電源がＯＮ状態である場合には、図９（Ｂ）に示すように、解除バネ９６の付勢力によってスライドピン７８が左方にスライドするように付勢されることにより、作用ピン９８が外縁部１０２の左内側面を左方向に押すようにして、連結部８４を左回りに回転するように付勢する。
【００５７】
こうして本実施形態の規制装置７４は、遊技機の電源がＯＦＦ状態である場合には、図９（Ａ）に示すように、スライドピン７８が第１貫通孔８８と第２貫通孔９０を貫通することにより、前枠ロック部４０および外枠ロック部４４が施錠位置からスライドしないようにして、前枠１０を本体３０に対して開くことができないようにするとともに、本体３０を外枠２に対して開くことができないようにしている。
【００５８】
一方、遊技機の電源がＯＮ状態である場合には、図９（Ｂ）に示すように、スライドピン７８が第１貫通孔８８と第２貫通孔９０を貫通しないことにより、前枠ロック部４０および外枠ロック部４４が施錠位置からスライドできるようにして、前枠１０を本体３０に対して開くことができるようにするとともに、本体３０を外枠２に対して開くことができるようにしている。
【００５９】
なお本実施形態の規制装置７４には、図９（Ａ）および（Ｂ）に示すように、遊技機の電源がＯＮ状態である場合に、スライドピン７８が第１貫通孔８８と第２貫通孔９０を貫通する状態であるか否かを検知するセンサ１０３が設けられている。そして遊技機の電源がＯＮ状態であるにも関わらず、スライドピン７８が第１貫通孔８８と第２貫通孔９０を貫通する状態となっていることを検出した場合には、エラー信号を出力するように形成されている。
【００６０】
ここで本実施形態の規制装置７４では、遊技機の電源がＯＮ状態にならないトラブルや、遊技機の電源がＯＮ状態となってもソレノイド８０に通電されないトラブルなどにより、スライドピン７８が第１貫通孔８８と第２貫通孔９０を貫通したままになってしまう事態が発生すると、鍵があっても前枠１０を本体３０に対して開くことができなくなるとともに、本体３０を外枠２に対して開くことができなくなってしまう。
【００６１】
そこで本実施形態の規制装置７４は、図９（Ａ）に示すように、連結部８４の上端部１０４（連結露出部）が規制装置カバー７６の上部から上方に突出するようにしており、スライドピン７８が第１貫通孔８８と第２貫通孔９０を貫通している状態では、図５に示すように、シリンダー錠２８を本体３０に固定している錠ネジ６４の近傍に連結部８４の上端部１０４が位置するように形成されている。
【００６２】
そして、スライドピン７８が第１貫通孔８８と第２貫通孔９０を貫通したままになってしまった場合には、シリンダー錠２８の不具合や鍵の紛失などが発生した場合と同様に、図７（Ａ）に示すように錠カバー５４のカバー露出部６０をニッパーなどの工具で破壊する。すると、連結部８４の上端部１０４が露出するので、作業口７２からペンチなどの工具を遊技機の内部に差し込んで、上端部１０４をつまんで前後に倒したりねじったり引っ張ったりするように力を加えると、図１０（Ａ）に示すように、外縁部１０２が作用ピン９８と接触する接触部１０５よりも連結軸９７に近い部分である断裂部１０６で、連結部８４が断裂（変形・破壊）するようになっている。
【００６３】
すると、図１０（Ｂ）に示すように、スライドピン７８と連結部８４の連結が解除されるので、駆動ピン８２が収納状態に維持されていても、解除バネ９６の付勢力によりスライドピン７８が左方にスライドして、スライドピン７８が第１貫通孔８８と第２貫通孔９０を貫通しなくなる。すると、前枠ロック部４０および外枠ロック部４４が施錠位置からスライドできるようになり、前枠１０を本体３０に対して開くことができるようになるとともに、本体３０を外枠２に対して開くことができるようになる。
【００６４】
詳細には図１０（Ａ）に示すように、断裂部１０６には、連結部８４の厚さが薄くなる切れ込み１０８が外縁部１０２を横切るように設けられている。具体的には、本実施形態の連結部８４の厚さは３ｍｍとなるように形成されているが、切れ込み１０８が最も深い部分は厚さが１．５ｍｍとなっている。これにより本実施形態の連結部８４は、連結部８４の上端部１０４を前後に倒したりねじったり引っ張ったりするように力を加えると、切れ込み１０８に沿って連結部８４が断裂しやすいようになっている。
【００６５】
ここで、連結部８４が断裂していない通常の状態では、スライドピン７８が左右にスライドする際およびスライドピン７８が第１貫通孔８８と第２貫通孔９０を貫通している状態において、接触部１０５に左方向の負荷がかかるが、断裂部１０６の切れ込み１０８は負荷がかかる方向に沿って設けられている。更に本実施形態の連結部８４は、上端部１０４から接触部１０５までは連結開口１００の横幅が狭くなっているが、接触部１０５から断裂部１０６までは連結開口１００の横幅が広がるように形成されている。
【００６６】
すなわち図９（Ａ）に示すように、本実施形態の連結部８４の外縁部１０２は、スライドピン７８が第１貫通孔８８と第２貫通孔９０を貫通している状態では、上端部１０４から接触部１０５までは、接触部１０５にかかる左方向への力に対して直交するように形成されており、接触部１０５から断裂部１０６までは、接触部１０５にかかる左方向への力に対して左下方向に斜めに交差するように形成されている。これにより本実施形態では、接触部１０５に左方向の負荷がかかっても、断裂部１０６には左下方向に斜めに負荷がかかるようにして断裂部１０６にかかる負荷を低減させ、連結部８４が断裂しないようになっている。
【００６７】
こうして本実施形態の連結部８４は、接触部１０５に左方向の負荷がかかっても、連結部８４が断裂しないようにしつつ、ペンチなどの工具により上端部１０４をつまんで前後に倒したりねじったり引っ張ったりするように力を加えると、断裂部１０６で断裂するようになっている。
【００６８】
なお本実施形態では、連結部８４が断裂することによりスライドピン７８と連結部８４の連結が解除されるので、連結部８４が断裂していることをもって、遊技機の電源がＯＦＦ状態である場合に、前枠１０を本体３０に対して開かれた、あるいは本体３０を外枠２に対して開かれたことを認知することができる。
【００６９】
本発明は、上記の実施形態で説明したものに限らず、種々の変形実施が可能であり、以下に変形例を紹介する。なお、上記実施形態や、以下において変形例として説明する各種の手法は、本発明を実現する制御手法として適宜組み合わせて採用することができる。
【００７０】
例えば上記実施形態では、シリンダー錠２８を本体３０から取り外す作業を外部から行うことができるとともに、本体３０から取り外したシリンダー錠２８を外部に摘出できるようにする作業口７２を形成することができるカバー露出部６０の例を挙げて説明したが、カバー露出部６０を、シリンダー錠２８を本体３０から取り外す作業を外部から行うことができるが、本体３０から取り外したシリンダー錠２８を外部に摘出できない大きさの作業口７２を形成することができるものにしてもよい。
【００７１】
すなわち、シリンダー錠２８を本体３０から取り外せば、シリンダー錠２８と前枠ロック部４０および外枠ロック部４４の連結が解除されるので、本体３０から取り外したシリンダー錠２８を外部に摘出しない状態であっても、ドライバーなどの工具を用いて前枠ロック部４０あるいは外枠ロック部４４を強制的にスライドさせれば、前枠１０あるいは外枠２を本体３０に対して開くことができるようになる。
【００７２】
また上記実施形態では、ニッパーなどの工具によりカバー露出部６０を切り取ることにより作業口７２が形成される例を挙げて説明したが、カバー露出部６０の内側面にカバー露出部６０の前面の外周に沿って切れ込みを形成しておき、ハンマーなどの工具でカバー露出部６０の前面を叩くと、切れ込みに沿ってカバー露出部６０の前面が余剰空間７０に陥没するように分離して（破壊されて）、分離したカバー露出部６０の前面を取り除くと作業口７２が形成されるようにしてもよい。ここでカバー露出部６０の前面が陥没する際には、シリンダー錠２８の円筒部分の手前側の端部が鍵穴開口部５８を貫通するようにしておけばよい。
【００７３】
また上記実施形態では、連結部８４の外縁部１０２が２カ所で断裂（変形）することによりスライドピン７８と連結部８４の連結が解除される例を挙げて説明したが、連結部８４の外縁部１０２が接触部１０５付近の１カ所で断裂（変形）することによりスライドピン７８と連結部８４の連結が解除されるようにしてもよい。
【００７４】
また上記実施形態では、連結部８４が断裂することによりスライドピン７８と連結部８４の連結が解除される例を挙げて説明したが、連結部８４が撓む（変形する）ことによりスライドピン７８と連結部８４の連結が解除されるようにしてもよい。この場合には、連結部８４がスライドピン７８を貫通するのではなく、スライドピン７８の外側で連結部８４が作用ピン９８と接触してスライドピン７８が連結部８４と連結するように構成し、連結部８４の上端部１０４を手前に倒したり下方に押したりするように力を加えると、連結部８４が撓むことによりスライドピン７８と連結部８４の連結が解除されるようにしてもよい。
【００７５】
また上記実施形態では、スライドピン７８が前枠ロック部４０および外枠ロック部４４の動作を規制する例を挙げて説明したが、スライドピン７８が前枠ロック部４０および外枠ロック部４４のいずれか一方の動作を規制するようにしてもよい。例えばスライドピン７８が前枠ロック部４０の動作を規制せずに外枠ロック部４４の動作を規制するようにした場合には、スライドピン７８が第２貫通孔９０を貫通したままになってしまう事態が発生すると、鍵があれば前枠１０を本体３０に対して開くことができるので、錠カバー５４を破壊せずに錠カバー５４を本体３０に対して固定しているネジを外して錠カバー５４を本体３０から取り外せば、連結部８４を変形あるいは破壊してスライドピン７８と連結部８４の連結が解除されるようにすることができる。
【００７６】
また上記実施形態では、スライドピン７８が左右にスライドすることにより規制状態と解放状態との間で動作する例を挙げて説明したが、スライドピン７８に代えて所定の軸を中心として回転することにより規制状態と解放状態との間で動作する規制部を設けるようにしてもよい。
【符号の説明】
【００７７】
２  外枠、４  遊技領域、６  遊技盤、８  ガラスユニット、１０  前枠、
１２  枠ランプ、１４  スピーカー、１６  上皿、１８  払出口、
２０  グリップユニット、２２  供給口、２４  下皿、２６  前枠軸、
２８  シリンダー錠、３０  本体、３２  前枠フック、３４  前枠引掛部、
３６  外枠フック、３８  外枠引掛部、４０  前枠ロック部、４２  ロックガイド部、
４４  外枠ロック部、４６  ロックバネ、４８  回転部、５０  前枠解錠孔、
５２  外枠解錠孔、５４  錠カバー、５６  切欠部、５８  鍵穴開口部、
６０  カバー露出部、６２  被覆部、６４  錠ネジ、６６  作業空間、６８  円筒部材、
７０  余剰空間、７２  作業口、７４  規制装置、７６  規制装置カバー、
７８  スライドピン、８０  ソレノイド、８２  駆動ピン、８４  連結部、
８６  ピンガイド部、８８  第１貫通孔、９０  第２貫通孔、９２  第３貫通孔、
９４  カバー貫通孔、９６  解除バネ、９７  連結軸、９８  作用ピン、
１００  連結開口、１０２  外縁部、１０３  センサ、１０４  上端部、
１０５  接触部、１０６  断裂部、１０８  切れ込み、
【図１】
2013233370.tif 000003
【図２】
2013233370.tif 000004
【図３】
2013233370.tif 000005
【図４】
2013233370.tif 000006
【図５】
2013233370.tif 000007
【図６】
2013233370.tif 000008
【図７】
2013233370.tif 000009
【図８】
2013233370.tif 000010
【図９】
2013233370.tif 000011
【図１０】
2013233370.tif 000012